(57)【特許請求の範囲】
【請求項１】
筒状部材の孔部の内周面に形成される適宜のリード角及び／又はリード方向に設定される雌ねじ螺旋構造と、
上記孔部の軸方向における上記筒状部材の端面に形成され、非螺旋状の当接面を有する受部と、
上記当接面に配設され、上記軸に向かって半径方向内向きに延設される突出部を有し、該突出部の突端によって、上記リード角及び／又はリード方向と相異なるリード角及び／又はリード方向に設定される断続的又は連続的な螺旋状の係合縁を構成する逆回転防止部材と、を備え、
前記係合縁は、基端側を支点として上記突端側が上記当接面から乖離する向きに対して回動するように弾性変形し得、雄ねじを螺合する際に、当該弾性変形を繰り返しながら螺進し、上記雌ねじ螺旋構造の一方向の相対回転を許容し且つ他方向の相対回転を係止することを特徴とする、雌ねじ体。
【請求項２】
前記当接面は、前記軸に対して垂直な平面であることを特徴とする、
請求項１記載の雌ねじ体。
【請求項３】
前記当接面は、前記半径方向に傾斜するテーパ面であることを特徴とする、
請求項１記載の雌ねじ体。
【請求項４】
前記当接面は、前記軸に対して一方向に傾斜する傾斜面、又は前記軸に対して一方向と他方向に傾斜する一対の傾斜面であることを特徴とする、
請求項１記載の雌ねじ体。
【請求項５】
前記受部には、第一周方向係合部が形成され、
前記逆回転防止部材には、上記第一周方向係合部と周方向に係合可能な第二周方向係合部が形成され、
上記第一周方向係合部と上記第二周方向係合部により、前記筒状部材と前記逆回転防止部材とが周方向に固定されることを特徴とする、
請求項１乃至４のいずれかに記載の雌ねじ体。
【請求項６】
前記受部には、第一軸方向係合部が形成され、
前記逆回転防止部材には、上記第一軸方向係合部と前記軸方向に係合可能な第二軸方向係合部が形成され、
上記第一軸方向係合部と上記第二軸方向係合部により、前記筒状部材と前記逆回転防止部材とが前記軸方向に固定されることを特徴とする、
請求項１乃至５のいずれかに記載の雌ねじ体。
【請求項７】
前記第一軸方向係合部は、組立時に屈曲させることで前記逆回転防止部材と軸方向に係合することを特徴とする、
請求項６に記載の雌ねじ体。
【請求項８】
前記第一軸方向係合部は、前記逆回転防止部材の外周に沿って形成されることを特徴とする、
請求項６又は７に記載の雌ねじ体。
【請求項９】
前記逆回転防止部材は、周方向に３６０°未満の範囲となる前記係合縁を、周方向に複数有することを特徴とする、
請求項１乃至８のいずれかに記載の雌ねじ体。
【請求項１０】
前記逆回転防止部材は、
前記受部の前記当接面に当接する座面部と、
前記座面部から軸方向に延在し、周方向に沿って前記軸方向の延在距離が次第に長くなる立設部と、を有し、前記突出部は、前記立設部から半径方向内向きに延設するように形成されることを特徴とする、
請求項１乃至９のいずれかに記載の雌ねじ体。
【発明の詳細な説明】
【技術分野】
【０００１】
本発明は、雄ねじ体と螺合する雌ねじ体に関する。
【背景技術】
【０００２】
締結構造の一つとして、ボルト等の所謂雄ねじ体と、ナット等の所謂雌ねじ体を用いるものが存在する。このねじ体による締結構造に関して、一つの雄ねじ体に対して、リード角及び／又はリード方向が相異なる二種類の螺旋溝（例えば右雄ねじ部と左雄ねじ部）を形成し、この二種類の螺旋溝に対して、ダブルナットのごとく、二種類の雌ねじ体（例えば右雌ねじ体と左雌ねじ体）を別々に螺合させるものがある。何らかの係合手段により、二種類の雌ねじ体の相対回転を抑止すれば、リード角及び／又はリード方向が相異なることによる軸方向干渉作用又は軸方向離反作用により、雄ねじとの間で機械的な緩み止め効果を提供できる（特許文献１参照）。
【０００３】
更に応用として、単一の雌ねじ体に対して、リード角及び／又はリード方向が相異なる二種類の雌ねじ条を形成することも行われている（特許文献１の請求項１５乃至請求項１９、図４１乃至図４３等参照）。この場合、締結方向に限定した雌ねじ体と雄ねじ体の相対回転を許容するために、一方の雌ねじ条を板状部材で構成して弾性変形可能にしている。
【先行技術文献】
【特許文献】
【０００４】
【特許文献１】特許５４０６１６８号公報
【発明の概要】
【発明が解決しようとする課題】
【０００５】
リード角及び／又はリード方向が相異なる二種類の雌ねじ条を有する単一の雌ねじ体が普及することにより、今後、更なる大量生産が求められる。多くの需要に応えるためには、低コスト且つ大量生産を実現しつつも、雌ねじ体に対して二種類の雌ねじ条を常に高精度に形成することが要求される。
【０００６】
本発明は、上記問題点に鑑みて本発明者の鋭意研究により成されたものであり、リード角及び／又はリード方向が相異なる二種類の雌ねじ構造を有する単一の雌ねじ体を、高品質且つ大量生産できるようにすることを目的とする。
【課題を解決するための手段】
【０００７】
上記目的を達成する本発明は、筒状部材の孔部の内周面に形成される適宜のリード角及び／又はリード方向に設定される雌ねじ螺旋構造と、上記孔部の軸方向における上記筒状部材の端面に形成され、非螺旋状の当接面を有する受部と、上記当接面に配設され、上記軸に向かって半径方向内向きに延設される突出部を有し、該突出部の突端によって、上記リード角及び／又はリード方向と相異なるリード角及び／又はリード方向に設定される断続的又は連続的な螺旋状の係合縁を構成する逆回転防止部材と、を備え、前記係合縁は、基端側を支点として上記突端側が上記当接面から乖離する向きに対して回動するように弾性変形し得、雄ねじを螺合する際に、当該弾性変形を繰り返しながら螺進し、上記雌ねじ螺旋構造の一方向の相対回転を許容し且つ他方向の相対回転を係止することを特徴とする、雌ねじ体である。
【０００８】
なお、この雌ねじ体の筒状部材の雌ねじ螺旋構造は、適宜のリード角及び／又はリード方向に設定される第一の螺旋溝と、該第一の螺旋溝と相異なるリード角及び／又はリード方向に設定される第二の螺旋溝とが同一領域上に重複形成されて成る多重ねじ構造部を有する雄ねじの一方の螺旋溝と螺合させ得る。また、この筒状部材を、雄ねじの一方の螺旋溝に沿って螺進させて行くと、雌ねじ体の係合縁は、上記雄ねじの第一の螺旋溝及び第二の螺旋溝の他方の螺旋溝のねじ山と接触し、更に、該係合縁の基端側を支点として突端側が前記当接面から乖離する向きに対して回動するように弾性変形し得、当該弾性変形を繰り返しながら他方の螺旋溝のねじ山を乗り越えて行くこと[s1]で、前記雌ねじ螺旋構造の一方向の相対回転を許容し且つ他方向の相対回転を係止することを特徴とする、雌ねじ体である。
【０００９】
また、前記当接面は、前記軸に対して垂直な平面であることを特徴とする。
また、前記当接面は、前記半径方向に傾斜するテーパ面であることを特徴とする。
また、前記当接面は、前記軸に対して一方向に傾斜する傾斜面、又は前記軸に対して一方向と他方向に傾斜する一対の傾斜面であることを特徴とする。
【００１０】
また、前記受部には、第一周方向係合部が形成され、前記逆回転防止部材には、上記第一周方向係合部と周方向に係合可能な第二周方向係合部が形成され、上記第一周方向係合部と上記第二周方向係合部により、前記筒状部材と前記逆回転防止部材とが周方向に固定されることを特徴とする。
【００１１】
また、前記受部には、第一軸方向係合部が形成され、前記逆回転防止部材には、上記第一軸方向係合部と前記軸方向に係合可能な第二軸方向係合部が形成され、上記第一軸方向係合部と上記第二軸方向係合部により、前記筒状部材と前記逆回転防止部材とが前記軸方向に固定されることを特徴とする。
【００１２】
また、前記第一軸方向係合部は、組立時に屈曲させることで前記逆回転防止部材と軸方向に係合することを特徴とする。
【００１３】
また、前記第一軸方向係合部は、前記逆回転防止部材の外周に沿って形成されることを特徴とする。
【００１４】
また、前記逆回転防止部材は、前記受部の前記当接面に対して、少なくとも周方向に１８０°以上の角度範囲で当接する座面部を有することを特徴とし、及び／又は、前記突出部の前記係合縁は、周方向に３６０°以下[NI2]の角度範囲で前記雄ねじと接触することを特徴とする。
【００１５】
また、前記逆回転防止部材は、周方向に３６０°未満の範囲となる前記係合縁を、周方向に複数有することを特徴とする。
【００１６】
また、前記逆回転防止部材は、前記受部の前記当接面に当接する座面部と、前記座面部から軸方向に延在し、周方向に沿って前記軸方向の延在距離が次第に長くなる立設部と、を有し、前記突出部は、前記立設部から半径方向内向きに延設するように形成されることを特徴とする。
【００１７】
更に上記雌ねじ体は、突出部の延設長さ即ち突出長さの設定や、立設部の立設長さの設定、突出部と立設部の相対角度の設定等により、所定以上の緩め方向トルクを付与することで突出部が弾性変形し、比較的容易に、雄ねじから雌ねじ体を取り外すことを可能とすることも出来る。
【発明の効果】
【００１８】
本発明によれば、リード角及び／又はリード方向が相異なる二種類の雌ねじ構造を有する単一の雌ねじ体を、高品質に大量生産することが可能となる。
【図面の簡単な説明】
【００１９】
【図１】本発明の実施形態に係る雌ねじ体が適用される締結構造の（Ａ）正面図であり、（Ｂ）平面図である。
【図２】同締結構造の（Ａ）正面断面図であり、（Ｂ）側面断面図である。
【図３】同雌ねじ体の（Ａ）平面図、（Ｂ）正面断面図、（Ｃ）正面図である。
【図４】同雌ねじ体の（Ａ）平面図、（Ｂ）側面断面図、（Ｃ）側面図、（Ｃ）部分断面図である。
【図５】同締結構造の雄ねじ体の（Ａ）正面図、（Ｂ）ねじ山のみの断面図、（Ｃ）平面図である。
【図６】同雄ねじ体の（Ａ）側面図、（Ｂ）ねじ山のみの断面図、（Ｃ）平面図である。
【図７】同締結構造の締結作用を示す（Ａ）初期状態の正面断面図、（Ｂ）雌ねじ体を９０度回転させたときの正面断面図、（Ｃ）雌ねじ体を１８０度回転させたときの正面断面図である。
【図８】同締結構造において雌ねじ体を緩み方向に回転させる際の正面断面図である。
【図９】同雌ねじ体の他の構成を示す正面断面図である。
【図１０】（Ａ）は同雌ねじ体の他の構成を示す正面断面図、（Ｂ）及び（Ｃ）は同雌ねじ体の他の構成を示す正面図である。
【図１１】他の締結構造の雌ねじ体の構成を示す（Ａ）斜視図、（Ｂ）正面断面図である。
【発明を実施するための形態】
【００２０】
以下、本発明の実施の形態を、添付図面を参照して説明する。
【００２１】
図１は、本実施形態に係る雄ねじ体１００が用いられる締結構造１の正面図である。また、図２（Ａ）は、同締結構造１の正面断面図であり、図２（Ｂ）は側面断面図である。図３は、雌ねじ体１００の正面断面図等であり、図４は側面断面図等である。図５は雄ねじ体１０の正面の拡大図等であり、図６は側面の拡大図等である。これらの図に示すように、締結構造１は、雌ねじ体１００を雄ねじ体１０に締結するものである。雌ねじ体１００は、筒状部材１０６と逆回転防止部材１６０によって、雄ねじ体１０の緩み方向の相対回転を防止する。
【００２２】
図５及び図６に示すように、雄ねじ体１０は、基部側から軸端に向かって、雄ねじ螺旋構造が形成された雄ねじ部１３が設けられる。本実施形態では、この雄ねじ部１３に、対応した右ねじとして成る雌ねじ状の螺旋条を螺合可能に構成される右ねじと成る第一雄ねじ螺旋構造１４と、対応した左ねじとして成る雌ねじ状の螺旋条を螺合可能に構成される左ねじと成る第二雄ねじ螺旋構造１５との二種類の雄ねじ螺旋構造が同一領域上に重複して形成される。
【００２３】
雄ねじ部１３には、図５（Ｃ）に示すように、軸心（ねじ軸）Ｃに垂直となる面方向において周方向に延びる略三日月状のねじ山１３ａが、雄ねじ部１３の一方側（図の左側）及び他方側（図の右側）に交互に設けられる。ねじ山１３ａをこのように構成することで、右回りに旋回する螺旋構造（図５（Ａ）の矢印１４参照）及び左回りに旋回する螺旋構造（図５（Ａ）の矢印１５参照）の二種類の螺旋溝を、ねじ山１３ａの間に形成することが出来る。
【００２４】
本実施形態では、このようにすることで、第一雄ねじ螺旋構造１４及び第二雄ねじ螺旋構造１５の二種類の雄ねじ螺旋構造を、雄ねじ部１３に形成している。従って、雄ねじ部１３は、右ねじ及び左ねじの何れの雌ねじ体とも螺合することが可能となる。なお、二種類の雄ねじ螺旋構造が形成された雄ねじ部１３の詳細については、本願の発明者に係る特許第４６６３８１３号公報を参照されたい。
【００２５】
図３及び図４に示すように、雌ねじ体１００は、筒状部材１０６と逆回転防止部材１６０を有する。筒状部材１０６は、所謂六角ナット状をなしており、中心に貫通孔部１０６ａを有する。勿論、雌ねじ体１００の概形は、六角ナット状に限らず、円筒状、周面にローレットを有する形状、四角形状、星型形状など任意に適宜設定可能である。貫通孔部１０６ａには、右ねじとしての第一雌ねじ螺旋構造１１４が形成される。即ち、筒状部材１０６の第一雌ねじ螺旋構造１１４は、雄ねじ体１０の雄ねじ部１３における第一雄ねじ螺旋構造１４と螺合する。
【００２６】
筒状部材１０６は受部１１０を有する。受部１１０は、筒状部材１０６の軸方向端面に形成されており、回転軸に対して略垂直（必ずしも垂直である必要は無い）となる当接面１１０ａを有する。この当接面１１０ａは、ここではリング状の平面となっており、逆回転防止部材１６０の座面部１６２と当接して、該逆回転防止部材１６０を軸方向に受け止める。なお、このリング状の当接面１１０ａは、軸方向端面に凹ませるように形成しても良い。
【００２７】
更に、受部１１０は、第一周方向係合部１２０と第一軸方向係合部１３０を有する。図３（Ｂ）に示すように、第一周方向係合部１２０は、ここでは当接面１１０ａに対して軸方向に突出する突起となっており、周方向に１８０度の間隔で二個形成される。勿論、この第一周方向係合部１２０は、必須ではないが、周方向に複数カ所分散して設けることも出来る。この第一周方向係合部１２０は、逆回転防止部材１６０の第二周方向係合部１６２ａと嵌合して周方向に係合し、周方向の相対回転を規制する。なお、ここでは第一周方向係合部１２０を当接面１１０ａに対して突出させるようにしたが、窪ませることもできる。また、第一周方向係合部１２０を軸方向に凸状又は凹状とすることもできる。例えばその事例として、当接面１１０ａ自体に、エンボス加工やローレット加工、放射状の溝等の凹凸を形成することも好ましい。
【００２８】
図４（Ｂ）に示すように、第一軸方向係合部１３０は、当接面１１０ａに対して微小の隙間を有する状態で対向配置される部材である。この隙間には、逆回転防止部材１６０の板状の座面部１６２（第二軸方向係合部１６２ｂ）が介在するように配設される。当接面１１０ａと第一軸方向係合部１３０は、座面部１６２を挟持する構造となり、この第一軸方向係合部１３０が第二周方向係合部１６２ｂと軸方向に係合する。なお、第一軸方向係合部１３０は、図４（Ｄ）に示すように、組立前においては、受部１１０に対して略垂直に延びる周壁状部となる。この周壁状部は、逆回転防止部材１６０の座面部１６２の外周縁に沿うようにして周方向に立設される。組立時には、逆回転防止部材１６０を配設してから、点線で示すように、第一軸方向係合部１３０を半径方向内側に屈曲させて、互いにカシメることで両者を軸方向に締結する。なお、第一軸方向係合部１３０は、ここでは周方向に９０°程度の範囲となる周壁状部を、二箇所に設ける場合を例示しているが、例えば図１１に示すように、全周（３６０°）に亘って配置することも好ましく、また、全周に亘って断続的な周壁状部を配置することも好ましい。
【００２９】
次に逆回転防止部材１６０について説明する。逆回転防止部材１６０は、座面部１６２と、立設部１６５と、突出部１６８を有する。
【００３０】
図４（Ａ）に示すように、座面部１６２は、受部１１０の当接面１１０ａに当接するリング状の板部であり、その一部及び／又は全部によって第二軸方向係合部１６２ｂを構成する。この第二軸方向係合部１６２ｂは、第一軸方向係合部１３０に挟持される（軸方向に重なる）ことで互いに軸方向に係合する。座面部１６２は、受部１１０の当接面１１０ａに対して、好ましくは周方向に１８０°以上、例えば３６０°の角度範囲で当接させることで、姿勢を安定させると共に、第一軸方向係合部１３０との係合状態が保持されるように構成されている。
【００３１】
座面部１６２の外周縁には、第二周方向係合部１６２ａが形成される。この第二周方向係合部１６２ａは、座面部１６２の外周縁の半径方向内側に変位する凹状の切欠きを有し、受部１１０の第一周方向係合部１２０と周方向に係合する。なお、ここでは半径方向内側に凹となる切欠きを例示しているが、半径方向外側に凸となる突起でもよく、軸方向に凸状又は凹状であってもよく、また必須でもない。第二周方向係合部１６２ａが軸方向に凸状又は凹状となる事例として、座面部１６２における当接面１１０ａと対向する平面に、エンボス加工やローレット加工、放射状の溝等の凹凸を形成することも好ましい。
【００３２】
図４（Ｂ）に示すように、立設部１６５は、座面部１６２から軸方向に延在する略筒状部である。軸方向の延在距離Ｊは、周方向に沿って次第に長くなる（又は短くなる）。結果、立設部１６５における座面部１６２と反対側の端縁１６５ａは、座面部１６２に対して傾斜しており、この傾斜角度αが、第二雄ねじ螺旋構造１１５のリード角と対応して設定される。即ち、端縁１６５ａは、周方向に約３６０度の範囲で延設された螺旋となる。立設部１６５には、軸方向の切欠き１６５ｂを形成してもよく、形成した場合には、積極的に半径方向の剛性を低下させることで、立設部１６５が半径方向外側に弾性変形し易くなるように出来る。なお、この切欠き１６５ｂは、ここでは周方向の二か所に形成しているが、一か所でも良く、三か所以上に形成してもよく、また０カ所としてもよい。
【００３３】
突出部１６８は、立設部１６５の端縁１６５ａから半径方向内側に突出する板部となっている。図３（Ａ）に示すように、この突出部１６８は、立設部１６５の切欠き１６５ｂが延長されること、又は、突出部１６８の端部から半径方向外向きに切り欠かれて成る凹状のスリットによって、周方向の二か所で分断された、約１８０°以下の角度範囲となる部分円弧状の二つの板部で構成される。各突出部１６８の半径方向内側が突端となり、これにより複数の係合縁１６８ａが構成される。結果として、各係合縁１６８ａは、周方向に１８０°以下の角度範囲の部分円弧となり、雄ねじ体１０の外周と接触する。このように、各係合縁１６８ａの周方向距離を１８０°以下にすることで、半径方向外側に変位しやすくなる。なお、係合縁１６８ａの直径は、雄ねじ体１０の第二雄ねじ螺旋構造１５の谷径とほぼ一致させている。
【００３４】
また突出部１６８は、半径方向に沿って、その内側が座面部１６２の成す仮想平面から離れる方向に傾斜している。この半径方向の傾斜角度βは、雄ねじ体１０の第二雄ねじ螺旋構造１５のねじ山１３ａのフランク角と殆ど一致させており、ここでは約３０度に設定している。また、係合縁１６８ａは、立設部１６５の端縁１６５ａの傾斜角αに伴って、リード角αとなる左ねじの第二雌ねじ螺旋構造１１５が形成される。この係合縁１６８ａは、雄ねじ体１０の雄ねじ部１３における第二雄ねじ螺旋構造１５と螺合する。
【００３５】
次に、この締結構造１の作用について説明する。
【００３６】
図７（Ａ）に示すように、雌ねじ体１００の筒状部材１０６の第一雌ねじ螺旋構造１１４を、雄ねじ体１０の第一雄ねじ螺旋構造１４に螺合させて行くと、逆回転防止部材１６０の係合縁１６８ａが、雄ねじ体１０の第二雄ねじ螺旋構造１５と接触する。しかし、雌ねじ体１００を、筒状部材１０６の第一雌ねじ螺旋構造１１４を基準として螺合させているので、筒状部材１０６を螺進させて行くと、係合縁１６８ａと第二雄ねじ螺旋構造１５のねじ山が干渉状態に遷移する[s3]。
【００３７】
この状態で、更に筒状部材１０６を９０°回転させて、第一雌ねじ螺旋構造１１４を第一雄ねじ螺旋構造１４に螺合させて行くと、図７（Ｂ）に示すように、筒状部材１０６は締結方向に１／４ピッチ進行し、逆回転防止部材１６０も、同方向に回転しながら、締結方向に強制的に進行する。このとき、係合縁１６８ａは、座面部１６２から離れる方向に傾斜していることから、ねじ山１３ａのフランク面に沿って、当接面１１０ａから離れる軸方向及び／又は半径方向外側に弾性変形して、第二雄ねじ螺旋構造１５を[s4]乗り越えようとする。この際、好ましくは、立設部１６５が半径方向外側の剛性を高めておくことで、立設部１６５自体が外側に弾性変形する量は小さく又は略零に設定し、係合縁１６８ａが立設部１６５に対して鈍角側へ弾性変形させることを優先させる。図７（Ａ）の状態を基準として筒状部材１０６を１８０度（１／２ピッチ）回転させると、図７（Ｃ）に示すように、係合縁１６８ａが、第二雄ねじ螺旋構造１５の[s5]一つのねじ山１３ａを完全に乗り越えて、次の第二雄ねじ螺旋構造１５に嵌合する。この動作を繰り返すことで、雌ねじ体１０が１８０°回転する度に、係合部１６８ａが第二雄ねじ螺旋構造１５のねじ山１３ａを乗り越えていき、雌ねじ体１００は雄ねじ体１０に締結されて行く。
【００３８】
一方、図８を参照して、雌ねじ体１００の筒状部材１０６が、雄ねじ体１０の第一雄ねじ螺旋構造１４に対して緩み方向に回転しようとする場合を考える。突出部１６８は、当接面１１０ａの成す仮想平面に対して先端側（係合縁１６８ａ側）が乖離するように傾斜した形状を成しており、この傾斜は、第二雄ねじ螺旋構造１５のねじ山１３ａのフランク面に対応するように設定され、好ましくは当接するように設定される。また、この突出部１６８の基端（立設部１６５の端縁１６５ａ）から先端（係合縁１６８ａ）までの長さは、ねじ山１３ａの頂部から谷底までの距離に対応して設定され、好ましくは当該距離と略一致するように設定される。そのため、雌ねじ体１００の筒状部材１０に緩め方向の相対回転を与えると、突出部１６８の傾斜面が、立設部１６５に対して、当接面１１０ａの成す仮想平面に接近する方向（即ち、係合縁１６８ａが当接面１１０ａに接近する方向）に力を受けて弾性変形する。立設部１６５の半径方向外側への剛性を高めておくことにより、当該弾性変形に伴って、突出部１６８の基端から先端の仮想平面方向の距離（図８における水平方向距離）が長くなることから、係合縁１６８ａがねじ山１３ａの谷部を狭窄するように作用し、その結果、当該緩め方向の相対回転を機械構造的に強固に防止できる。換言すると、逆回転防止部材１６０の係合縁１６８ａが、第二雄ねじ螺旋構造１５のねじ山１３ａの谷に食い込み、筒状部材１０６と逆回転防止部材１６０との進行のズレ若しくは相反によって相対回転を規制する。従って、雄ねじ体１００は、緩み方向の相対回転ができない。逆回転防止部材１６０は、筒状部材１０６の第一雌ねじ螺旋構造１１４による一方向（締結方向）の雄ねじ体１０との相対回転は許容し、その逆回転は確実に係止される。なお、雌ねじ体１００において、突出部１６８の延設長さ即ち突出長さの設定や、立設部１６５の立設長さの設定、突出部１６８と立設部１６５の相対角度の設定等により、所定以上の緩め方向トルクを付与することによって突出部１６８を弾性変形させて、比較的容易に、雄ねじ体１０から雌ねじ体１００を取り外すことを可能とすることも出来る。
【００３９】
本実施形態の雌ねじ体１００によれば、受部１１０の当接面１１０ａを含む範囲において、軸に対する垂直方向の断面によって視た場合、この当接面１１０ａの断面像が、周方向複数箇所に得られる状態及び／又は断面像が環状に得られる状態になる。従って、当接面１１０ａによる逆回転防止部材１６０の保持姿勢が安定するので、組立を易しく行うことができ、更に、組立精度も向上させることができる。なお、本実施形態では、当接面１１０ａの断面像が環状（リング状）になるので、最も安定した状態になるといえる。
【００４０】
更に本実施形態のように、筒状部材１０６の端面において、当接面１１０ａを回転軸に対して垂直な平面にすると、プレス、切削、転造、圧造、成型、造形等によって筒状部材１０６を形成する際に、所謂ナットと同様に簡潔に量産できる。なお、当接面１１０ａを軸直角方向に対して傾斜させて、この当接面１１０ａを利用して係合縁１６８ａのリード角やリード方向を設定した周方向のスロープ状に形成しようとすると、筒状部材１０６の製造コストが増大する。更に、スロープ状の当接面１１０ａを含む範囲で、軸に対する垂直方向の断面によって視た場合、その断面像は周方向に一箇所しか得られない。これは、当接面１１０ａによる逆回転防止部材１６０の保持姿勢が不安定であり、スロープに沿って逆回転防止部材１６０が周方向にスライドするような力が生じ易い。結局、筒状部材１０６と逆回転防止部材１６０を組み立てる際に、高い位置決め精度が要求されてしまう。
【００４１】
因みに本実施形態では、周方向に沿って軸方向の延在距離Ｊが次第に長くなる立設部１６５によって、第二雌ねじ螺旋構造１１５のリード方向及びリード角を設定している。この構造を採用すれば、例えば、逆回転防止部材１６０を板状部材を用いたプレス成型等によって量産することが可能となり、製造コストを飛躍的に低減できる。
【００４２】
また本雌ねじ体１００は、必須ではないが、筒状部材１０６側の第一周方向係合部１２０と、逆回転防止部材１６０側の第二周方向係合部１６２ａによって、筒状部材１０６と逆回転防止部材１６０を周方向に固定可能としている。結果、逆回転防止部材１６０の係合縁１６８ａを干渉させながら、強制的に締結させる際にも、筒状部材１０６と逆回転防止部材１６０の相対回転を規制できる。
【００４３】
同様に、筒状部材１０６側の第一軸方向係合部１３０と、逆回転防止部材１６０の第二軸方向係合部１６２ｂにより、筒状部材１０６と逆回転防止部材１６０が軸方向に固定されている。結果、筒状部材１０６を強制的にねじ込んで、逆回転防止部材１６０の係合縁１６８ａを半径方向に変位させる際にも、筒状部材１０６と逆回転防止部材１６０が軸方向に離脱することを防止できる。本実施形態では、組立時に第一軸方向係合部１３０を屈曲させて互いにかしめるので、簡易な製造工程にもかかわらず、確実に両者を一体化できる。
【００４４】
とりわけ、本実施形態の逆回転防止部材１６０の座面部１６２は、少なくとも周方向に１８０度以上の角度範囲で、受部１１０の当接面１１０ａに当接している。このように、座面部１６２を１８０°以上の角度範囲に設定すると、逆回転防止部材１６０に外力が作用しても、第一軸方向係合部１３０との係合状態が外れ難くなる。一方で、逆回転防止部材１６０の係合縁１６８ａは、周方向に１８０°以下の角度範囲で雄ねじ１０と接触させることで、軸方向及び／又は半径方向外側に柔軟に変位し易くすることが出来る。即ち、本実施形態の逆回転防止部材１６０によれば、筒状部材１０６と確実に一体化させつつも、係合縁１６８ａを容易に変位できるようにしている。また、この際に係合縁１６８ａを周方向に複数配置することで、雌ねじ体１００が緩み方向に回転する際に、複数の係合縁１６８ａが確実に雄ねじ体１０と係合して、その回転を規制できる。また係合縁１６８と立設部１６５の角度関係を鈍角に設定しているので、係合縁１６８は、立設部１６５から離れる軸方向（両者の角度関係が１８０°に近づく方向）に弾性変形しやすいが、立設部１６５に近づく軸方向（両者の関係が９０°に近づく方向）には弾性変形しにくいという利点がある。
【００４５】
なお、上記実施形態の雄ねじ体１０及び雌ねじ体１００では、第一雄ねじ及び雌ねじ螺旋構造１４、１１４と、第二雄ねじ及び雌ねじ螺旋構造１５、１１５が、互いに逆ねじの関係（リード角が同じでリード方向が反対）となっている場合を例示したが、本発明はこれに限定されない。例えば図９に示すように、リード方向が同じで、リード角が異なる第一雄ねじ及び雌ねじ螺旋構造１４、１１４と、第二雄ねじ及び雌ねじ螺旋構造１５、１１５を採用することもできる。この場合、第一雄ねじ螺旋構造１４によって構成される螺旋状のねじ山１３ａに、さらに螺旋条を重畳形成することにより、リードがＬ１（リード角がθ１）の第一雄ねじ螺旋構造１４及びリードがＬ２（リード角がθ２）の第二雄ねじ螺旋構造１５を、ねじ方向を揃えて形成することが出来る。
【００４６】
更に上記実施形態の雌ねじ体１００では、本実施形態の雌ねじ体１００によれば、当接面１１０ａを含む範囲の軸垂直断面の断面像が、当接面１００ａと一致する平面リング状になる場合を例示したが、本発明はこれに限定されない。例えば図１０（Ａ）に示す雌ねじ体１００のように、当接面１１０ａを、半径方向に傾斜するテーパ面とすることができる。この場合、軸垂直断面Ｘ−Ｘの断面像は、環状の線となる。更に例えば図１０（Ｂ）に示す雌ねじ体１００のように、当接面１１０ａを、軸に対して一方向傾斜する傾斜面とすることができる。この場合、当接面１１０ａの軸垂直断面Ｘ−Ｘの断面像は、二箇所の線分となる。また更に例えば図１０（Ｃ）に示す雌ねじ体１００のように、当接面１１０ａを、軸に対して一方向と他方向に傾斜する一対の傾斜面とすることができる。この場合、当接面１１０ａの軸垂直断面Ｘ−Ｘの断面像は、四箇所の線分となる。これらのいずれにしろ、当接面１１０ａを、軸垂直方向の断面によって視ると、断面像が周方向の複数箇所に得られる機会が提供されるため、逆回転防止部材１６０の保持姿勢を安定させることができる。
【００４７】
また、本発明の実施例は、上記実施の形態に限定されるものではなく、本発明の要旨を逸脱しない範囲内において種々変更を加え得ることは勿論である。
【符号の説明】
【００４８】
１  締結構造
１０  雄ねじ体
１３  雄ねじ部
１４  第一雄ねじ螺旋構造
１５  第二雄ねじ螺旋構造
１００  雌ねじ体
１０６  筒状部材
１１０  受部
１１０ａ  当接面
１１４  第一雌ねじ螺旋構造
１１５  第二雌ねじ螺旋構造
１２０  第一周方向係合部
１３０  第一軸方向係合部
１６０  逆回転防止部
１６２  座面部
１６２ａ  第二周方向係合部
１６２ｂ  第二軸方向係合部
１６５  立設部
１６８  突出部
１６８ａ  係合縁
【図１】
0006485685.tif 000002
【図２】
0006485685.tif 000003
【図３】
0006485685.tif 000004
【図４】
0006485685.tif 000005
【図５】
0006485685.tif 000006
【図６】
0006485685.tif 000007
【図７】
0006485685.tif 000008
【図８】
0006485685.tif 000009
【図９】
0006485685.tif 000010
【図１０】
0006485685.tif 000011
【図１１】
0006485685.tif 000012